(57)【要約】【課題】印刷済みの複数の用紙の一端部同士を固定して製本する際に、綴じ位置近傍の読みにくい部分への印刷を回避するとともに、用紙面をより効率的に活用する。【解決手段】複数の用紙に印刷を行い、該印刷された複数の用紙の一端部同士を固定して製本する場合に、製本された本の中程より外側に位置する用紙の外側の面における綴じ代が本の中程から外側に向かって大きくなるように、各用紙上における印刷を行いうる範囲を設定する。【選択図】図３
2012141406.tif 000002
【特許請求の範囲】
【請求項１】
複数の用紙に印刷を行い、該印刷された複数の用紙の一端部同士を固定して製本する場合に、前記印刷の条件を設定する印刷条件設定装置であって、
前記製本された本の中程より外側に位置する用紙の前記外側の面における綴じ代が前記本の前記中程から前記外側に向かって大きくなるように、前記各用紙上における前記印刷を行いうる範囲を設定することを特徴とする印刷条件設定装置。
【請求項２】
前記印刷の対象となる原稿が前記設定された印刷を行いうる範囲に収まるように、前記原稿の前記用紙上に印刷される大きさを自動的に縮小変更することを特徴とする請求項１記載の印刷範囲設定装置。
【請求項３】
前記本における向き合うページ同士で綴じ代が同じ大きさとなるように、前記各用紙上における前記印刷を行いうる範囲を設定することを特徴とする請求項１または２記載の印刷範囲設定装置。
【請求項４】
前記本の前記中程より前記外側に位置する用紙の前記外側の面における綴じ代が前記本の厚さが大きくなるほど大きくなるように、前記各用紙上における前記印刷を行いうる範囲を設定することを特徴とする請求項１から３のいずれか１項記載の印刷条件設定装置。
【請求項５】
前記本の前記中程より前記外側に位置する用紙の前記外側の面における綴じ代が前記用紙の厚さが大きくなるほど大きくなるように、前記各用紙上における前記印刷を行いうる範囲を設定することを特徴とする請求項１から４のいずれか１項記載の印刷条件設定装置。
【請求項６】
複数の用紙に印刷を行い、該印刷された複数の用紙の一端部同士を固定して製本する場合に、前記印刷の条件を設定する印刷条件設定装置としてコンピュータを機能させるための印刷条件設定プログラムであって、
前記印刷条件設定装置が、前記製本された本の中程より外側に位置する用紙の前記外側の面における綴じ代が前記本の前記中程から前記外側に向かって大きくなるように、前記各用紙上における前記印刷を行いうる範囲を設定するものであることを特徴とする印刷条件設定プログラム。
【発明の詳細な説明】
【技術分野】
【０００１】
本発明は、複数の用紙に印刷を行い、該印刷された複数の用紙の一端部同士を固定して製本する場合に、印刷の条件を設定する印刷条件設定装置及びプログラムに関するものである。
【背景技術】
【０００２】
従来より、プリンタ等で印刷された用紙の束の背部に表紙を接着して、表紙で用紙の束をくるむくるみ製本処理を行う印刷製本装置が知られている。このくるみ製本のような、複数の用紙の一端部同士を固定して製本する製本方式で作製された本では、中身の用紙が背部において互いに固定されているため、たとえば図８に示すように、見開きの左右ページＬＳ、ＲＳがその固定された一端部側（以下、綴じ側という）に向かって湾曲し、綴じ位置近傍に印刷された文字が読みにくくなるという問題が生じる。この問題は、ページ数の多い厚手の本ほど顕著になる。図９は、図８の見開き左右各ページＬＳ、ＲＳにおける読みにくい部分Ａを示す図である。
【０００３】
これに対し、特許文献１では、製本印刷時における印刷条件の設定画面において、ユーザに綴じ代の値を設定させ、その綴じ代の設定を、全ページにおける印刷処理に適用させることが開示されている。この場合、ユーザは、本の厚さなどを考慮して、充分に大きい値の綴じ代を設定することにより、読みにくい部分への印刷を回避することが可能である。
【先行技術文献】
【特許文献】
【０００４】
【特許文献１】特開２００６−５０４４５号公報
【発明の概要】
【発明が解決しようとする課題】
【０００５】
しかしながら、図１０および図１１に示すように、見開くページが本の中央からずれた位置だと、読みにくい部分Ａの幅は左右のページＬＳとＲＳとで異なってくるなど、同じ本の中でも開くページ毎に読みにくい部分の幅が異なってくるため、上記のように、本の全ページに対して一定大きさの綴じ代を設定したのでは、一部のページにおいて実際に読みにくい部分よりも広い幅の綴じ代が設定され、用紙面の活用において無駄が生じる。
【０００６】
本発明は、上記事情を鑑み、複数の用紙に印刷を行い、該印刷された複数の用紙の一端部同士を固定して製本する際に、綴じ位置近傍の読みにくい部分への印刷を回避するとともに、用紙面をより効率的に活用することができる印刷条件設定装置及びプログラムを提供することを目的とするものである。
【課題を解決するための手段】
【０００７】
本発明の印刷条件設定装置は、複数の用紙に印刷を行い、該印刷された複数の用紙の一端部同士を固定して製本する場合における、印刷の条件を設定する印刷条件設定装置であって、製本された本の中程より外側に位置する用紙の外側の面における綴じ代が本の中程から外側に向かって大きくなるように、各用紙上における印刷を行いうる範囲を設定することを特徴とするものである。
【０００８】
ここで、外側は、本の中程の両側にある外側のうちいずれか一方の外側であってもよいし、両方の外側であってもよい。
【０００９】
また、「綴じ代」とは、用紙上における、印刷を行いうる範囲と設定される領域を除いた領域のうち、他の用紙に固定される一端部側の領域を意味する。
【００１０】
また、「複数の用紙の一端部同士を固定する」というのは、複数の用紙の一端部同士を直接接着剤などで接着して固定することに限られない。たとえば用紙束の背部に対向して配置される布や紙などに対して各用紙の一端部を接着剤などで接着して固定することも含む。
【００１１】
また、「本の中程」というのは、本の厚さ方向における中央の位置であってもよいし、中央から多少ずれた位置であってもよいし、中央の位置あるいは中央から多少ずれた位置から所定幅を有する範囲であってもよい。そして、「本の中程」を所定幅を有する範囲とする場合には、その中程より外側に位置する用紙の範囲が外側の端から本全体の少なくとも１／４以上、より好ましくは１／３以上となるように、その中程の範囲を決めるのが好ましい。
【００１２】
また、「綴じ代が本の中程から表表紙側（または裏表紙側）に向かって大きくなる」とは、その方向に、連続的または段階的に大きくなることを意味する。
【００１３】
そして、「本の中程より外側に位置する用紙の外側の面における綴じ代が本の中程から外側に向かって大きくなる」というのは、本の中程より外側に位置する用紙の外側の面における綴じ代が全体的にみて本の中程から外側に向かって大きくなっていることを意味し、一部例外的に綴じ代が本の中程から外側に向かって大きくなるという上記原則に従って設定されていないものが含まれている場合を含む。
【００１４】
上記印刷条件設定装置は、印刷の対象となる原稿が設定された印刷を行いうる範囲に収まるように、原稿の用紙上に印刷される大きさを自動的に縮小変更するものであってもよい。
【００１５】
また、本における向き合うページ同士で綴じ代が同じ大きさとなるように、各用紙上における印刷を行いうる範囲を設定するものであってもよい。
【００１６】
また、本の中程より外側に位置する用紙の外側の面における綴じ代が本の厚さが大きくなるほど大きくなるように、各用紙上における印刷を行いうる範囲を設定するものであってもよい。
【００１７】
ここで、「綴じ代が本の厚さが大きくなるほど大きくなる」というのは、厚さが異なる本の対応する用紙面同士で比較した場合に、本の厚さが大きいほど綴じ代が大きいことを意味する。また、対応する用紙面とは、本全体に対する用紙の相対的な位置が、比較する本全体に対する用紙の相対的な位置と同等の位置関係にある用紙の同一方向の面を意味する。
【００１８】
なお、本の厚さは、たとえば本を構成する用紙の枚数と用紙の厚さに基づいて算出することができる。また、本の厚さは、印刷製本装置に用紙束の幅を測定する測定機構を設け、その測定機構により測定することで取得することもできる。
【００１９】
また、本の中程より外側に位置する用紙の外側の面における綴じ代が用紙の厚さが大きくなるほど大きくなるように、各用紙上における印刷を行いうる範囲を設定するものであってもよい。
【００２０】
なお、上記印刷範囲設定装置は、印刷製本装置に接続され、印刷製本装置に印刷ジョブを送信するコンピュータ等のユーザ端末に内蔵されたものであってもよいし、印刷製本装置に内蔵されたものであってもよい。
【００２１】
本発明の印刷条件設定プログラムは、コンピュータを、上記印刷条件設定装置として機能させるための印刷条件設定プログラムである。
【発明の効果】
【００２２】
本発明の印刷条件設定装置及びプログラムによれば、複数の用紙に印刷を行い、該印刷された複数の用紙の一端部同士を固定して製本する際に、製本された本の中程より外側に位置する用紙の外側の面における綴じ代が本の中程から外側に向かって大きくなるように、各用紙上における印刷を行いうる範囲を設定するようにしたので、綴じ位置近傍の読みにくい部分への印刷を回避するとともに、用紙面をより効率的に活用することができる。
【００２３】
上記印刷条件設定装置及びプログラムにおいて、印刷の対象となる原稿が設定された印刷を行いうる範囲に収まるように、原稿の用紙上に印刷される大きさを自動的に縮小変更するようにした場合には、綴じ幅によって原稿の一部が欠けてしまうことを防止することができる。
【００２４】
また、本における向き合うページ同士で綴じ代が同じ大きさとなるように、各用紙上における印刷を行いうる範囲を設定するようにした場合には、見開き両ページのバランスを整えることができる。
【図面の簡単な説明】
【００２５】
【図１】印刷製本システムの概略構成図
【図２】ユーザに綴じ代の設定条件を設定させるための設定画面例を示す図
【図３】綴じ代の設定方法を説明するための図
【図４】偶数ページにおける綴じ代の設定を示すグラフ（その１）
【図５】偶数ページにおける綴じ代の設定を示すグラフ（その２）
【図６】偶数ページにおける綴じ代の設定を示すグラフ（その３）
【図７】原稿の印刷サイズの調整方法を説明するための図
【図８】本の見開き状態を示す図（その１）
【図９】図８の見開きの左右各ページにおける読みにくい範囲を示す図
【図１０】本の見開き状態を示す図（その２）
【図１１】図１０の見開きの左右各ページにおける読みにくい範囲を示す図
【発明を実施するための形態】
【００２６】
以下、図面を参照して、本発明の印刷条件設定装置およびプログラムの実施の形態について説明する。図１は、本発明の印刷条件設定装置を用いた印刷製本システムの概略構成を示すブロック図である。この印刷製本システムは、図１に示すように、コンピュータ１０と、コンピュータ１０に有線または無線ＬＡＮなどのネットワークを介して接続された印刷製本装置２０とを備えている。
【００２７】
コンピュータ１０は、図１に示すように、アプリケーション１１とプリンタドライバ１２とを備えている。なお、アプリケーション１１およびプリンタドライバ１２は、コンピュータ１０にインストールされたプログラムによって構成されるものである。ここで、プリンタドライバ１２を構成するプログラムに、本発明の印刷条件設定プログラムが含まれている。これによって構成されたプリンタドライバ１２は、本発明の印刷条件設定装置に該当する。また、コンピュータ１０は、モニター等の表示手段１３と、キーボードやマウスなどの入力手段１４を備えている。
【００２８】
アプリケーション１１は、メモ帳やＷｏｒｄ（登録商標）などのような原稿画像を表す画像データを編集することができるプログラムであり、アプリケーション１１において編集された画像データはプリンタドライバ１２に出力される。
【００２９】
プリンタドライバ１２は、アプリケーション１１から入力された画像データの印刷に必要な用紙の枚数（以下、用紙の枚数）、用紙の種類、綴じ代、製本の出力部数等の印刷条件の設定データを併せて、印刷製本装置２０において認識可能な印刷ジョブデータを生成し、印刷製本装置２０に出力する。
【００３０】
プリンタドライバ１２は、印刷条件の操作者による入力を受け付けるユーザインターフェースを有し、入力手段１４によって入力される操作者による入力に応じて印刷条件を設定する。例えば図２に示すような設定画面を表示手段１３に表示させ、設定画面に対するユーザの操作を検出する。図２は、綴じ代の設定条件を設定するための設定画面を示す図である。
【００３１】
プリンタドライバ１２は、図２の設定画面において、「湾曲し読みにくい箇所には印刷しない」のチェックボックスがオンになっている場合、本の中程より外側に位置する用紙の外側の面における綴じ代を本の中程から外側に向かって大きくなるように設定する。
【００３２】
たとえば、図３に示すように、２００ページ分の原稿を全１００枚の用紙に両面印刷して製本する場合には、用紙束の中央より左表紙側（外側）に位置する１枚目から５０枚目の用紙の左表紙側の面（ページ１、ページ３、・・・、ページ９９）における綴じ代Ｍ１、Ｍ３、・・・、Ｍ９９は、ページ番号が大きくなるほど小さくなるように設定し、用紙束の中央より右表紙側（外側）に位置する５１枚目から１００枚目の用紙の右表紙側の面（ページ１０２、ページ１０４、・・・、ページ２００）における綴じ代Ｍ１０２、Ｍ１０４、・・・、Ｍ２００は、ページ番号が大きくなるほど大きくなるように設定する。
【００３３】
さらに、「左右対称な範囲で印刷する」のチェックボックスがオンになっている場合、綴じ代を向き合うページ同士で同じ大きさとなるように設定する。具体的には、ページ２における綴じ代はページ３の綴じ代と同じ大きさに設定し、ページ４における綴じ代はページ５の綴じ代と同じ大きさに設定し、・・・、ページ１９８における綴じ代はページ１９９の綴じ代と同じ大きさに設定する。すると、ページ２、ページ４、・・・、ページ１００における綴じ代は、ページ番号が大きくなるほど小さくなるように設定され、ページ１０１、ページ１０３、・・・ページ１９９における綴じ代は、ページ番号が大きくなるほど大きくなるように設定される。
【００３４】
一方、「左右対称な範囲で印刷する」のチェックボックスがオフになっている場合には、ページ２、ページ４、・・・、ページ１００、ページ１０１、ページ１０３、・・・ページ１９９における綴じ代は、予め決めておいた任意のルールに従って設定する。たとえば、ページ２、ページ４、・・・、ページ１００における綴じ代は、ページ番号が大きくなるほど大きくなるように設定し、ページ１０１、ページ１０３、・・・ページ１９９における綴じ代は、ページ番号が大きくなるほど小さくなるように設定する。これに限らず、ページ２、ページ４、・・・、ページ１００、ページ１０１、ページ１０３、・・・ページ１９９における綴じ代を、ページ番号が大きくなるほど大きくなるように（あるいは小さくなるように）設定してもよいし、ページ番号に拘らず一定の綴じ代を設定してもよい。
【００３５】
プリンタドライバ１２は、用紙の枚数および用紙の種類の設定をさらに用いて綴じ代の設定を行う。ここで、用紙の種類は、図２の設定画面中の、「用紙種類」のプルダウンメニューにおいて表示される用紙種類の一覧（普通紙、薄紙、厚紙）から印刷に用いる用紙の種類を選択することで設定することができる。各用紙種類にはその用紙の厚さ情報が関連づけられており、用紙の種類の設定を用いて用紙の厚さを取得することができる。プリンタドライバ１２は、本の厚さ（用紙の枚数×用紙の厚さ）が大きくなるほど本の全ページにおける綴じ代が大きくなるように、かつ、用紙の厚さが大きくなるほど本の全ページにおける綴じ代が大きくなるように、綴じ代の設定を行う。
【００３６】
プリンタドライバ１２は、用紙の枚数および用紙の種類等の設定条件に基づいて用紙の各ページに設定すべき綴じ代を算出し、あるいは予め算出して図示しない内部データに保持しておいたものを取得し、得られた綴じ代の設定データを加入して上記印刷ジョブデータの生成を行う。
【００３７】
以下、図２および図４〜６を参照して、全２００ページの原稿を厚さが１ｍｍほどの普通紙に両面印刷して製本する場合であって、製本するのに最低限必要な綴じ代が１０ｍｍである場合における、綴じ代の設定の実施例について説明する。ここで、用紙の枚数は１００枚となり、本の厚さ（用紙の枚数×用紙の厚さ）は１００ｍｍとなる。
【００３８】
［実施例１］
図２の設定画面において、「湾曲し読みにくい箇所には印刷しない」のチェックボックスはオンで、「左右対称な範囲で印刷する」のチェックボックスはオフになっている場合に、ページ２、ページ４、・・・、ページ１９８においては、ページ番号が大きくなるほど綴じ代が１５２ｍｍから２ｍｍずつ大きくなり、ページ３、ページ５、・・・、ページ１９９においては、ページ番号が大きくなるほど綴じ代が３４８ｍｍから２ｍｍずつ小さくなるように設定する。図４のグラフは、偶数ページ（ページ２００を除く）における綴じ代の設定を示すものであり、ページ番号が大きくなるにつれて綴じ代が連続的に大きくなっていくのが観察できる。なお、この実施例では、本の始めと終わりのページであるページ１とページ２００においては、製本処理との関係で、綴じ代を１０ｍｍとしている。以下の実施例においても同じ。
【００３９】
[実施例２]
上記実施例１と同一の綴じ代の設定条件（「湾曲し読みにくい箇所には印刷しない」のチェックボックスはオン、「左右対称な範囲で印刷する」のチェックボックスはオフ）が設定されている場合に、ページ２、ページ４、・・・、ページ１９８においては、ページ番号が大きくなるほど綴じ代が、１７０ｍｍから２０ページ毎に２０ｍｍずつ（一部区間においては１８ｍｍ）大きくなり、ページ３、ページ５、・・・、ページ１９９においては、ページ番号が大きくなるほど綴じ代が、３４８ｍｍから２０ページ毎に２０ｍｍずつ（一部区間においては１８ｍｍ）小さくなるように設定する。図５のグラフは、偶数ページ（ページ２００を除く）における綴じ代の設定を示すものであり、ページ番号が大きくなるにつれて綴じ代が段階的に大きくなっていくのが観察できる。
【００４０】
[実施例３]
図２の設定画面において、「湾曲し読みにくい箇所には印刷しない」のチェックボックスと、「左右対称な範囲で印刷する」のチェックボックスとがいずれもオンになっている場合に、ページ２、ページ３、・・・、ページ９９においては、ページ番号が大きくなるほど綴じ代が、３４８ｍｍから２ページ毎に２ｍｍずつ小さくなり、ページ１００、ページ１０１、・・・、ページ１９９においては、ページ番号が大きくなるほど綴じ代が、２５０ｍｍから２ページ毎に２ｍｍずつ大きくなるように設定する。図６のグラフは、偶数ページ（ページ２００を除く）における綴じ代の設定を示すものであり、ページ番号９９まではページ番号が大きくなるにつれて綴じ代が連続的に小さくなり、ページ番号１００からはページ番号が大きくなるにつれて綴じ代が連続的に大きくなっていくのが観察できる。
【００４１】
プリンタドライバ１２は、上述のように綴じ代が設定されると、設定された綴じ代の領域を除いた用紙上の領域を印刷可能領域（印刷を行いうる領域）とし、印刷可能領域に応じて原稿の用紙上に印刷される位置や大きさを設定する。具体的には、原稿が綴じ代と重ならならないように、原稿の用紙上に印刷される位置を、用紙の綴じ側とは反対側に適宜シフトさせて調整する。しかし、位置をシフトさせるだけでは原稿が印刷可能領域に収まらない場合には、原稿が印刷可能領域に収まるように、原稿の用紙上に印刷される大きさを自動的に縮小変更する。
【００４２】
例えば図７に示すように、原稿の画像データＤのサイズが横２１０ｍｍ×縦２９７ｍｍ（Ａ４サイズ）であり、用紙Ｓのサイズも横２１０ｍｍ×縦２９７ｍｍ（Ａ４サイズ）であり、設定された綴じ代Ｍが１０ｍｍであり、綴じ代Ｍを除く全領域（横２００ｍｍ×縦２９７ｍｍ）が印刷可能領域Ｂである場合、原稿の画像データＤが印刷可能領域Ｂに収まるように、画像データＤを縮小して画像データＤ´を生成し、生成された画像データＤ´を加入して上記印刷ジョブデータの生成を行う。なお、この原稿の画像データＤを縮小した画像データＤ´を生成する処理は、プリンタドライバ１２において行われるようにしてもよいが、プリンタドライバ１２に連動させたアプリケーション１１において行われるようにしてもよい。
【００４３】
また、上記サイズ調整の際に、左右ページで綴じ代の設定が異なる場合など、上記原稿の画像データの縮小率が左右のページで異なってくるような場合には、高い方の縮小率を左右両方の画像データに適用してサイズを調整することで、左右ページのバランスを整えることができる。
【００４４】
印刷製本装置２０は、孔版印刷プリンタやインクジェットプリンタやレーザープリンタなどからなる印刷部２１と、印刷部２１から出力される印刷済み用紙の束の背部に表紙を接着して、表紙で用紙の束をくるむくるみ製本処理を行う製本部２２とを備え、コンピュータ１０のプリンタドライバ１２から出力された印刷ジョブデータを受け付けて、印刷ジョブデータに含まれている印刷条件の設定データに従って印刷および製本処理を行う。その結果、複数の用紙の一端部同士を固定して製本してなる本であって、該本の中程より外側に位置する用紙の外側の面における固定された一端部側の非印刷領域の幅が本の中程から外側に向かって大きくなる本が作製される。
【００４５】
上記構成により、本印刷製本システムによれば、複数の用紙に印刷を行い、該印刷された複数の用紙の一端部同士を固定して製本する際に、製本された本の中程より外側に位置する用紙の外側の面における綴じ代が本の中程から外側に向かって大きくなるように、各用紙上における印刷を行いうる範囲を設定するようにしたので、綴じ位置近傍の読みにくい部分への印刷を回避するとともに、用紙面をより効率的に活用することができる。
【００４６】
なお、上記実施の形態では、全ページにおける綴じ代を本の厚さや用紙の厚さに対応して大きくする場合について説明したが、必ずしも全ページにおける綴じ代を大きくする必要はない。少なくとも本の中程より外側に位置する用紙の外側の面における綴じ代を本の厚さや用紙の厚さに対応して大きくなるように設定すればよい。
【００４７】
また、プリンタドライバ１２において、用紙の厚さの他にも、用紙の材料、用紙束を構成する用紙の枚数、用紙束の幅などの、製本された用紙束において用紙が綴じ側付近において折り曲がる湾曲の程度に影響を与えるファクターにさらに基づいて綴じ代の大きさを設定するようにしてもよい。
【符号の説明】
【００４８】
１０    コンピュータ
１１    アプリケーション
１２    プリンタドライバ
１３    表示手段
１４    入力手段
２０    印刷製本装置
２１    印刷部
２２    製本部
Ｄ    画像データ（原稿）
Ｓ    用紙
Ｍ    綴じ代
Ｂ    印刷可能領域
【図１】
2012141406.tif 000003
【図２】
2012141406.tif 000004
【図３】
2012141406.tif 000005
【図４】
2012141406.tif 000006
【図５】
2012141406.tif 000007
【図６】
2012141406.tif 000008
【図７】
2012141406.tif 000009
【図８】
2012141406.tif 000010
【図９】
2012141406.tif 000011
【図１０】
2012141406.tif 000012
【図１１】
2012141406.tif 000013